(57)【特許請求の範囲】
【請求項１】
開口部を有するシート状の包装本体と、包装本体の開口部付近に設けられ開口部を跨いで封鎖可能なシート状の封鎖部と、封鎖部を略々コ字形に切込され周囲の枠片を有し封鎖部に対して折曲げ可能な開閉片とを備え、
封鎖部は包装本体と別体の袋状を呈し、
開閉片が封鎖部の両側または片側に設けられ、
開閉片の切込みに一定角度θの傾斜を設け、
開閉片の基端側は開口部の開口寸法に合致する幅に形成され、
枠片の内面には剥離紙を有する接着剤層を有する包装材。
【請求項２】
開口部を有し開口部から収納物を収納するシート状の包装本体と、包装本体の開口部付近に設けられ開口部を跨いで封鎖可能なシート状の封鎖部と、封鎖部を略々コ字形に切込され周囲の枠片を有し封鎖部に対して折曲げ可能な開閉片とを備え、
封鎖部が包装本体の開口部の一端側から一体に延び折曲げて開口部を跨いで被せられ、
開閉片を開口部へ差し込みすることによって開閉片が収納物を区分けする区分部材となる包装材。
【請求項３】
請求項１または２記載の包装材において、包装本体または封鎖部に気体による膨張で衝撃緩衝力を発揮するものである包装材。
【請求項４】
開口部を有するシート状の包装本体と、包装本体の開口部付近に設けられ開口部を跨いで封鎖可能なシート状の封鎖部と、封鎖部に切込み形成され封鎖部に対して折曲げ可能な開閉片とを備え、
包装本体はガスバリア性を有するシート材の２層構造であり、
シート材の間に膨張収縮可能な空隙を設け、
空隙の内部には薄いフィルム状の膜体で筒状，扁平に変形可能な栓を突出させてなる衝撃緩衝構造である包装材。
【発明の詳細な説明】
【０００１】
【産業上の利用分野】
本発明は、シート状の開閉口を封止するための封鎖部を備えた包装材に関するものである。
【０００２】
【従来の技術】
従来、例えば一端が包装材の開閉口の片側に固着され他端が開閉口を跨いで反対側に封鎖接着可能なシート状の封鎖部からなるものが知られている。この封鎖部の他端には、繰返して接着，引き剥しが可能な再接着性の接着剤が塗布されている。
【０００３】
この従来の封鎖部は、その他端を包装材に接着することで包装材の開口部を封止し、封鎖部の他端を包装材から引き剥がすことで包装材の開口部を開放することができるようになっている。そして、封鎖部の他端に塗布された再接着性の接着剤により、再使用が可能になっている。
【０００４】
【発明が解決しようとする課題】
前述の従来の接着構造では、再使用毎に再接着性の接着剤の接着力が低下してしまうことから、包装材の開口部を封止しても、包装材に収容された収容物の当触圧力等で封鎖部の他側の接着がズレてしまい、包装材の開口部が広がってしまうことがある。このため、広がった包装材の開口部から収容物が覗いてしまったり突出，抜落してしまうことがあるという問題点を有している。
【０００５】
本発明は、このような問題点を考慮してなされたもので、再使用による封止力の低下を阻止した繰り返し耐久性が高い封鎖部を有する包装材を提供することを課題とする。
【０００６】
【課題を解決するための手段】
前述の課題を解決するための本発明に係る包装材は、請求項１に記載のように、開口部を有するシート状の包装本体と、包装本体の開口部付近に設けられ開口部を跨いで封鎖可能なシート状の封鎖部と、封鎖部を略々コ字形に切込され周囲の枠片を有し封鎖部に対して折曲げ可能な開閉片とを備え、封鎖部は包装本体と別体の袋状を呈し、開閉片が封鎖部の両側または片側に設けられ、開閉片の切込みに一定角度θの傾斜を設け、開閉片の基端側は開口部の開口寸法に合致する幅に形成され、枠片の内面には剥離紙を有する接着剤層を有する手段を採用する。
また、請求項２記載のように、開口部を有し開口部から収納物を収納するシート状の包装本体と、包装本体の開口部付近に設けられ開口部を跨いで封鎖可能なシート状の封鎖部と、封鎖部を略々コ字形に切込され周囲の枠片を有し形成され封鎖部に対して折曲げ可能な開閉片とを備え、封鎖部が包装本体の開口部の一端側から一体に延び折曲げて開口部を跨いで被せられ、開閉片を開口部へ差し込みすることによって開閉片が収納物を区分けする区分部材となる手段を採用する。
請求項３記載のように、請求項１または２記載の包装材において、包装本体または封鎖部に気体による膨張で衝撃緩衝力を発揮する手段を採用する。
請求項４記載のように、開口部を有するシート状の包装本体と、包装本体の開口部付近に設けられ開口部を跨いで封鎖可能なシート状の封鎖部と、封鎖部を略々コ字形に切込され周囲の枠片を有し封鎖部に対して折曲げ可能な開閉片とを備え、包装本体はガスバリア性を有するシート材の２層構造であり、シート材の間に膨張収縮可能な空隙を設け、空隙の内部には薄いフィルム状の膜体で筒状，扁平に変形可能な栓を突出させてなる衝撃緩衝構造である手段を採用する。
【０００７】
【作用】
前述の手段によると、開閉片を再接着性の接着剤で包装材本体に接着する等により、従来例と同様の接着力の低下が生ずることがあっても、封鎖部が包装本体の開口部を跨いで封鎖取付けされているため、封鎖部によって包装材本体の開口部の広がりが阻止される。また、開閉片は包装本体の開口部から挿入して係止封鎖されるか、周囲と同一面を形成して封鎖される。さらに、枠片によってコ字形周囲の外側から押圧される。請求項１のみの手段としては、確実な抜け止め状態で封鎖される。請求項２のみの手段としては、一つの包装本体が区分利用される。請求項３のみの手段としては包装本体または封鎖部には衝撃緩衝力が備わる。請求項４のみの手段としては、包装本体に衝撃緩衝力が備わる。
【０００８】
【実施例】
以下、本発明に係る包装材の第１実施例を図１〜図５に基いて説明する。
【０００９】
この実施例では、封筒形に形成された包装本体Ａに使用するに好適なものを示してある。なお、この包装本体Ａの開閉口Ｂは、長さ方向に直交する線で切断されたような形状となっている。
【００１０】
この実施例は、嵌合形の封鎖部１を備えている。即ち、封鎖部１は、挿入口１１を開口した袋形で別体に形成することができ、包装本体Ａの開閉口Ｂ側を内部に挿通させて嵌合取付けされる。なお、この封鎖部１の材質については、紙材，合成樹脂シート，合成樹脂フィルム被覆紙材，金属フィルム被覆合成樹脂シート等を自由に選択可能である。また、封鎖部１の内部の挿入口１１の反対側には、包装材本体Ａからの抜け出しを規制するストッパ１２が設けられている。このストッパ１２は、封鎖部１の内部に形成した粘着層、突起，切込み等からなる。
【００１１】
封鎖部１の包装本体Ａの開閉口Ｂを跨いだ両側には、開閉片２，２が設けられている。この開閉片２は、封鎖部１に略々コ字形に切込み３が形成されている。この切込み３の形状は、コ字形の開放側が挿入口側に位置し、その周囲に枠片１３が略々コ字形に形成されている。また、開閉片２の切込み３のコ字形に一定角度θの傾斜を設け、開口部Ｂへの差込を容易にする構造にすることができる。この開閉片２の基部側は開口部Ｂの開口寸法に合致する幅Ｗに形成されることが望ましい。さらに、封鎖部１を形成するに、図２に示すシート状の材料を用いて折り畳み、折り畳み側端を熱溶着等してシール部１４を設けて袋形とすることができる。
【００１２】
この実施例によると、封鎖部１，開閉片２等からなるように構造が簡素であり、安価に製造が可能である。また、開口部Ｂに袋状の封鎖部１を被せるだけの作業でたり、簡単に使用することができる。
【００１３】
この実施例を使用するには、図３に示すように、開口部Ｂから包装本体Ａの内部に収容物Ｐを収容した状態で封鎖部１を開口部Ｂに被せれば良い。この場合には、ストッパ１２が包装本体Ａの開口部近傍に係止されて抜け止めが阻止されるので、枠片１３と包装本体Ａとを必要に応じて粘着テープあるいは糊付け等すれば、容易に搬送することができる。図２に斜線示するように、枠片１３の内面に剥離紙１５を有する接着剤層１６を設けておくことも可能である。枠片１３のほかに開閉片２の開放端２ａの内面にも同様な剥離紙１５を有する接着剤層１６を設けておくことができる。枠片１３と開閉片２の剥離紙１５，１５は分離可能に設けておく。
【００１４】
次に、図４に示すように、封鎖部１を開口部Ｂに被せた後、片側の開閉片２を曲げて開口部Ｂへと差込することができる。開閉片２は傾斜θによって差込がスムーズに案内され、差込終端において幅Ｗが開口部Ｂに係止されるので、確実な抜け止め状態で封鎖される。必要に応じて、開閉片２の開閉端表面を接着剤層構造として開口部Ｂの内面に接着することが容易である。
【００１５】
さらに、図５に示すように両側の開閉片２，２を開口部Ｂへと差込することができる。この場合には、両側からの差込による係止に加えて枠片１３，１３による両外側からの押圧によって、確実な抜け止め状態となる。
【００１６】
なお、図示しないが、図２に示すような両側ではなくて片側のみに切込３を設け、封鎖部１を形成することも可能である。この封鎖部１によれば、片側のみの開閉片２を利用して他側を密着封止構造にできる。
【００１７】
図６〜図９は、本発明に係る包装材の第２実施例を示すものである。
【００１８】
この実施例では、封鎖部２０が包装本体Ａの開口部Ｂの一端側から一体で舌片状に延長されている。封鎖部２０を形成するに、シート状の材料の一端にコ字形の切込３を形成しておき、この一端を残した状態で折り畳み、折り畳み側端を熱溶着等してシール部１４を設けて袋形としてある。
【００１９】
この実施例によると、包装本体Ａの開口部Ｂから収納物Ｐ，ｐを収納した後、開閉片２を折り畳んで開口部内へと差込する。さらに、封鎖部２０の枠片１３を包装本体Ａの外側に折り畳み、必要に応じて接着などして固定する。
【００２０】
この実施例によれば、開閉片２を開口部Ｂへと差込することによって、収納物Ｐ，ｐを区分けする区分部材として用いることができ、一つの包装本体Ａを区分利用可能となる。図示しないが、開閉片２を封鎖部１と一体に折り畳みして用いることを妨げないものである。
【００２１】
また、この実施例によれば、前述の封鎖部１の構造が一体的な片状に延長されているため、封鎖部１を包装材Ａに固着する手間が不要となる。また、一体的な構成により、封鎖部１による開口部Ｂの封鎖が強固になる。なお、一体的な構成とすることは、シート状の材料からの封筒形への折り畳み形成の際に、開閉片２を切込み形成することが必要になるだけであるため、製造を困難にしたり製造コストをアップすることにはならない。
【００２２】
図１０〜図１１は、本発明に係る包装材の第３実施例を示すものである。
【００２３】
図示するように、包装本体４は大型のガゼット封筒から構成されている。この包装本体４は、ガスバリア性を有するシート材４３，４４の２層構造とし、シート材４３，４４の間に膨張収縮可能な空隙６を設けてなる衝撃緩衝構造を備えてある。空隙６の内部には、発泡材からなる衝撃緩衝材５を圧縮収納することもできる。なお、この衝撃緩衝構造は封鎖部１，開閉片２まで設ける必要はない。図示するように、封止部２０の外側の開口部近傍にひも部材１８を設け、これに対応する包装本体４の外側に止めぼたん１７を設けておくこともでき、開閉片２を差込した状態でもひも止めすることができる。
【００２４】
この実施例によると、空隙６の内部に気体を入れて空隙６を膨張させることにより、衝撃緩衝力を備えることができる。なお、空隙６の内部に発泡材からなる衝撃緩衝材５を圧縮収納しておくと、適当な栓を設けることにより、衝撃緩衝材５の膨張で栓から気体を空隙６の内部に自動的に吸入することができる。また、栓から気体を排出し空隙６，衝撃緩衝材５を圧縮しておくと、再使用の際に便利である。
【００２５】
この場合の栓の具体例を示すことができる。即ち、薄いフィルム状の膜体で筒形，扁平に変形可能な栓７を形成し、栓７を包装材本体４のシート材４３，４４に固着して空隙６の内部に突出させてある。
【００２６】
この実施例によると、図１２に示すように、栓７にチューブ８を挿通することで栓７を筒形に変形させ、気体Ｇを空隙６に注入することができる。また、図１３に示すように、栓７をチューブ８から引抜くことで気体Ｇの圧力で栓７を扁平に変形させ、気体Ｇを空隙６に封止することができる。なお、気体Ｇを空隙６から排出するには、栓７にチューブ８を挿通することで栓７を筒形に変形させ、包装材本体１を押圧すればよい。なお、気体Ｇの空隙６への注入に際しては、図１４に示すような、ノズル９１，弁９２を有するポンプ９を使用することができ、非常に便利である。
【００２７】
図１５は、本発明に係る包装材の第４実施例を示すものである。
【００２８】
この実施例では、包装材本体４の空隙６の内部にガスカプセル１００を備えてある。このガスカプセル１００は、押圧によって破壊される分離膜１０１によって２区画に分離され、両区画に接触して気体Ｇを発生する物質１０２，１０３が隔離収納されている。
【００２９】
この実施例によると、ガスカプセル１００を押圧するだけで、空隙６の内部にガスＧを充満させ膨張させることができる。
【００３０】
図１６〜図１７は、本発明に係る包装材の第５実施例を示すものである。
【００３１】
この実施例では、包装材本体４の開口部Ｂの一端側に舌片状に封鎖部１を延長し、この封鎖部の内面中間部位に接着剤２００を塗布した状態で相互に折り畳んでおいたものである。これによれば、収納物Ｐを入れた後に開口部の他端外側を曲げた状態として接着剤２００で密着することができ、完全な密封構造を提供することができる。
【００３２】
【発明の効果】
以上のように本発明に係る包装材は、包装材の開口部を封鎖する際に開閉片による開口部内への差込係合や開口部外側への被覆等を任意に選択することができ、必要に応じた包装を行えるうえ、封鎖部の接着力が低下しても全体の封止能力を損なうことがなく、繰り返し使用が実現できた。
【００３３】
特に、封鎖部に開閉片を切込しているので、極めて簡単な構造で開口部部位の包装効果を上げることができる。
【００３４】
請求項１のみとして、袋状の封鎖部を開口部に被せるだけで簡単に使用できるうえ、開閉片は傾斜θによって差込がスムーズに案内することができ開閉片の基端側は開口部の開口寸法に合致する幅に形成されているので、差込終端において幅が開口部に係止され加えて枠片の内面に剥離紙を有する接着剤層による外側からの押圧により、確実な抜け止め状態で封鎖することができる。
【００３５】
請求項２のみとして、開閉片が略々コ字形に切込されているので、開閉片を開口部内へ差込した場合であっても、枠片によってコ字形周囲の外側から押圧することができるので、差込係合状態を維持することができ、収容物の仕分けを損なうことがない。開閉片を開口部へと差込することによって、収納物を区分けする区分部材として用いることができ、一つの包装本体を区分利用可能となる。また、開口部一端側から一体延長された舌片に開閉片を切込することができ、極めて簡単に形成することができる。
【００３６】
請求項３のみとして、簡単に衝撃緩衝力を備えることができる効果がある。
【００３７】
請求項４のみとして、栓を筒形に変形させ気体を空隙に注入し、栓を扁平に変形させ気体を空隙に封止することで、空隙を膨張させ、衝撃緩衝力を備えることができる。
【図面の簡単な説明】
【図１】  本発明に係る包装材の第１実施例を示す全体斜視図である。
【図２】  封鎖部の展開斜視図である。
【図３】  収容物が収容されて開閉片を両外側とした使用状態の要部断面図である。
【図４】  収容物が収容されて片側の開閉片を挿入した使用状態の要部断面図である。
【図５】  収容物が収容されて両側の開閉片を挿入した使用状態の要部断面図である。
【図６】  本発明に係る包装材の第２実施例を示す斜視図である。
【図７】  図６の包装材の展開斜視図である。
【図８】  図６の包装材の使用状態を示す斜視図である。
【図９】  図８の要部断面図である。
【図１０】  本発明に係る包装材の第３実施例を示す斜視図である。
【図１１】  図１０の要部断面図である。
【図１２】  図１０の使用状態を示す要部断面図である。
【図１３】  図１０の使用状態を示す要部断面図である。
【図１４】  図１０の包装材に用いられるポンプの断面図である。
【図１５】  本発明に係る包装材の第４実施例を示す要部断面図である。
【図１６】  本発明に係る包装材の第５実施例を示す要部断面図である。
【図１７】  図１６の使用状態を示す要部断面図である。
【符号の説明】
１           封鎖部
２           開閉片
４           包装本体
４３，４４   シート材（衝撃緩衝構造）
５           衝撃緩衝材（衝撃緩衝構造）
６           空隙（衝撃緩衝構造）
１１         挿入口
１２         ストッパ
１３         枠片
Ａ           包装材
Ｂ           開口部
Ｇ           気体
【図１】
0003719724.tif 000002
【図２】
0003719724.tif 000003
【図３】
0003719724.tif 000004
【図４】
0003719724.tif 000005
【図５】
0003719724.tif 000006
【図６】
0003719724.tif 000007
【図７】
0003719724.tif 000008
【図８】
0003719724.tif 000009
【図９】
0003719724.tif 000010
【図１０】
0003719724.tif 000011
【図１１】
0003719724.tif 000012
【図１２】
0003719724.tif 000013
【図１３】
0003719724.tif 000014
【図１４】
0003719724.tif 000015
【図１５】
0003719724.tif 000016
【図１６】
0003719724.tif 000017
【図１７】
0003719724.tif 000018